(57)【要約】【課題】  本願発明の解決課題は、便座に座った状態で手軽に使用でき、排便時に腹部に力を込め易く、コンパクトで狭いトイレ内にも配置でき、安定性のある排便補助具を提供することにある。【解決手段】  本願発明の排便補助具は、２本以上の縦支持材とそれら縦支持材の間に設けられた横バーを備え、縦支持材の上下両端に床面に設置可能な設置部が設けられ、横バーが縦支持材の軸方向中央部よりも上下いずれか一方寄りの箇所に設けられたものである。縦支持材を３本以上とし、それら縦支持材の間に横バーを設けてもよい。縦支持材や横バーをパイプにし、パイプ内に粒状体又は液体を出し入れできるようにすることもできる。隣り合う縦支持材の間に２本以上の横バーを設け、それら横バーを縦支持材の高さ方向異なる箇所に設けたものである。【選択図】図１
2012157576.tif 000002
【特許請求の範囲】
【請求項１】
便座に着座した状態で前かがみになって手で把持することができ、又は手を添えて身体を支えることができる排便補助具であり、
間隔をあけて配置された２本以上の縦支持材と、それら縦支持材の間に設けられた横バーを備え、
前記縦支持材の上下両端に、トイレの床面に設置可能な設置部が設けられ、
前記横バーは前記縦支持材の軸方向中央部よりも上下いずれか一方寄りの箇所に設けて、縦支持材の上下を逆さにすることにより、横バーの高さを変えることができる、
ことを特徴とする排便補助具。
【請求項２】
請求項１記載の排便補助具において、
縦支持材が３本以上あり、横バーがそれら縦支持材の間に設けられた、
ことを特徴とする排便補助具。
【請求項３】
請求項１又は請求項２記載の排便補助具において、
縦支持材と横バーの双方又は一方はパイプであり、それらパイプ内に粒状体又は液体を出し入れ可能である、
ことを特徴とする排便補助具。
【請求項４】
請求項１乃至請求項３のいずれか１項に記載の排便補助具において、
隣り合う縦支持材の間に２本以上の横バーが設けられ、
それら横バーが縦支持材の高さ方向異なる箇所に設けられた、
ことを特徴とする排便補助具。
【発明の詳細な説明】
【技術分野】
【０００１】
本願発明は、排便を容易にする排便補助具に関する。
【背景技術】
【０００２】
精神的なストレスや生活習慣の乱れなどにより便秘に悩む人が数多く存在する。便秘は腹部の不快感はもちろんのこと、吐き気、肌荒れ、腰痛といった各種症状の原因となる。便秘の程度がひどい場合、大腸がんや直腸がん、腸閉塞といった病気の一因となることもある。
【０００３】
便秘に悩む人たちは漢方薬や整腸剤などを服用していた。また、漢方薬や整腸剤以外に、腹部に力を入れて排便しやすくするための足置き用台座（特許文献１）などが提案されている。
【先行技術文献】
【特許文献】
【０００４】
【特許文献１】特開２００６−３４６４０７号公報
【発明の概要】
【発明が解決しようとする課題】
【０００５】
前記漢方薬や整腸剤は、繰り返し使用すると効果が低下する場合がある。体質によっては摂取できないものもある。場合によっては副作用の弊害のおそれもある。前記特許文献１の足置き用の台座は、便座に座った状態で足を載せて使用するものであるため、台座が不用意に倒れるおそれがあり、その場合は身体のバランスを崩しやすく、場合によっては転倒して怪我をするおそれがある。
【０００６】
本願発明の解決課題は、便座に座った状態で手軽に使用でき、排便時に腹部に力を込めやすく、コンパクトで狭いトイレ内にも配置でき、安定性のある排便補助具を提供することにある。
【課題を解決するための手段】
【０００７】
本願発明の排便補助具は、便座に着座した状態で前かがみになって手で把持できるものであり、間隔をあけて配置された２本以上の縦支持材と、それら縦支持材の間に設けられた横バーを備え、縦支持材の上下両端に、トイレの床面（床面に設置した載せ台等を含む）に設置可能な設置部が設けられ、横バーは前記縦支持材の軸方向中央部よりも上下いずれか一方寄りの箇所に設けて、縦支持材の上下を逆さにすることにより、横バーの高さを変えることができるようにしたものである。
【０００８】
本願発明の排便補助具は、前記排便補助具において、縦支持材が３本以上あり、横バーがそれら縦支持材の間に設けられたものである。３本以上の縦支持材は間隔をあけて一列に又は三角形、四角形といった他の形状に配列することができる。縦支持材と横バーの双方又は一方をパイプにして、それらパイプ内に粒状体又は液体を出し入れできるようにして安定性を向上させることもできる。２本の縦支持材の間には、複数本の横バーを上下に間隔を開けて設けることもできる。
【発明の効果】
【０００９】
本願発明の排便補助具には、次のような効果がある。
（１）縦支持材と横バーのみから構成されるので、コンパクトで、構造も簡潔である。
（２）縦支持材の上下両端に設置部が設けられ、且つ横バーがそれら縦支持材の軸方向中央部よりも上下いずれか一方寄りの箇所に設けられているので、上下どちら向きでも安定して設置することができ、上下逆さにするだけで横バーの高さが異なる排便補助具として使用することができる。
（３）横バーは前記縦支持材の軸方向中央部よりも上下いずれか一方寄りの箇所に設けて、トイレの床面に立てる縦支持材の上下を逆さにすることにより、横バーの高さを変えることができるようにしてあるので、使用者の手の長さや体の大きさなどに応じて使い分けが可能である。
（４）縦支持材を３本以上にした場合、排便補助具が安定し倒れにくい。このため、使用時にバランスを崩したり、転倒したりして怪我をする心配も少ない。
（５）縦支持材又は／及び横バーをパイプとし、それらの内部に粒状体又は液体を出し入れできるようにした場合、安定性を向上させることができる。また、中身を空にすれば旅行や出張の際に携行することもできる。
（６）横バーを手で把持し、又は縦支持材の上端部に手を載せて使用するものであるため、足を載せて使用する特許文献１の足置き用の台座に比べてバランスを崩しにくい。このため、バランスを崩して転倒したり、怪我をしたりする心配も少ない。
（７）移動可能であるため、不使用時には邪魔にならないところにしまっておくことができる。
（８）２本の縦支持材の間に複数本の横バーを上下に間隔を開けて設けた場合、高さの異なる横バーを備えた排便補助具として使用することができるので、使用者の手の長さや体の大きさなどに応じて使い分けが可能である。
【図面の簡単な説明】
【００１０】
【図１】本願発明の排便補助具の一例を示すものであって、（ａ）は斜視図、（ｂ）は正面図。
【図２】本願発明の排便補助具の使用方法の一例を示す参考説明図。
【図３】本願発明の排便補助具の使用方法の他例を示す参考説明図。
【図４】本願発明の他例を示すものであって、（ａ）は縦支持材を３本設けた場合の平面図、（ｂ）は３本の縦支持材間に横バーを１本ずつ設けた場合の正面図、（ｃ）は３本の縦支持材間に横バーを２本ずつ設けた場合の正面図。
【発明を実施するための形態】
【００１１】
（実施形態１）
本願発明の排便補助具の一例について、図面を参照しながら説明する。この実施形態の排便補助具１は便座に着座した状態で前かがみになって手で把持したり、手を添えて体重を支えたりすることができるものであり、２本の縦支持材２とそれら縦支持材２の間に設けられた１本の横バー３とから構成されるものである。縦支持材２はステンレス製（ＳＵＳ３０４）の円柱パイプであり、図１に一例として示す縦支持材２は長さ１８０ｍｍ、直径５０ｍｍのものである。夫々の縦支持材２の両端面には円形状の閉塞蓋４が溶接で固定されている。閉塞蓋４は縦支持材２の両端面を閉塞できれば円形以外であってもよく、例えば、縦支持材２の上端部に手を載せた際に当該部分を握り易いよう（力を込めやすいよう）な形状にすることができる。縦支持材２は中実（棒状）のものを用いることもできる。閉塞蓋４で閉塞した上下両端はトイレの床に設置する際の設置部であり、その設置部のいずれか一方（任意の方）を下にして設置することができる。
【００１２】
２本の縦支持材２間に設けられた横バー３は、縦支持材２と同様のステンレス製の円柱パイプであり、平均的な体格の成人男性が両手で把持できる程度の長さと太さにしてある。図１に一例として示す横バー３は長さ３５５ｍｍ、直径２５０ｍｍのものである。縦支持材２及び横バー３の長さや直径はこれ以外であってもよい。
【００１３】
図１（ｂ）に示すように、横バー３は縦支持材２の長手方向の中央よりも上方寄りの箇所に取り付けられている。より具体的には、横バー３の取付け位置を基準として、それよりも上の部分と下の部分との比率が、１対２となる箇所（縦支持材２の上端面から６０ｍｍの所）に設けられた貫通孔（図示しない）に両端を１５ｍｍほど挿し込み、当該挿入部分を溶接することによって両縦支持材２に固定してある。前記取付け箇所は一例であり、これ以外の箇所に取り付けることもできる。溶接箇所に生じるスパッタはバフ掛けして除去しておくのが好ましい。
【００１４】
前記縦支持材２及び横バー３はステンレス製以外のものでもよく、例えば、木製、アルミ製、カーボン製、プラスチック製といった各種材質製とすることができる。
【００１５】
（実施形態２）
本願発明の排便補助具は、縦支持材２を３本以上とすることもできる。例えば、図４（ａ）に示すように、３本の縦支持材２を三角形の頂点部分に配置し、それら縦支持材２の間に２本の横バー３を溶接固定して平面視Ｖ字状の排便補助具１とすることができる。縦支持材２は横一列に配置してもよい。この場合も横バー３は縦支持材２の軸方向の中央部の上方寄り又は下方寄りの箇所に取り付けるのが好ましい。２本の横バー３は同じ高さに設けることもできるが、図４（ｂ）に示すように、異なる高さに段差をもたせて設けることもできる。横バー３は、図４（ｃ）に示すように、縦支持材２の間に高さを変えて複数本設けることもできる。
【００１６】
この実施形態では縦支持材２が３本の場合を一例として説明しているが、縦支持材２は４本以上であってもよく、この場合、縦支持材２を横一列に間隔を開けて配置することも、平面視四角形、五角形といった形状となるように配列することもできる。縦支持材２を３本とした場合と同様、横バー３は同じ高さに設けることも異なる高さのところに設けることもできる。
【００１７】
（実施形態３）
本願発明の排便補助具は、排便補助具１を構成する縦支持材２又は／及び横バー３を中空プラスチック製とし、内部に砂などの粒状体や水などの液体を入れられるようにすることもできる。この場合、縦支持材２及び横バー３の双方又はいずれか一方に、粒状体や液体を出し入れするための出し入れ口（図示しない）を設けることもできる。
【００１８】
（その他の実施形態）
本願発明の排便補助具１は、また、縦支持材２の両端部（設置部）には樹脂製の滑り止めラバー等を被せ又は取り付け、安定性を高めることもできる。縦支持材２を３本以上設ける場合、折りたたみ式とすることもできる。
【００１９】
（使用例１）
本願発明の排便補助具を使用する場合、例えば次のようにする。
（１）図２に示すように、便座に腰をかけて前かがみになった状態で手の届く位置に排便補助具１を設置する。図２では、横バー３が縦支持材２の長手方向の中央部よりも上方寄りに位置するように設置してある。
（２）設置した排便補助具１の横バー３を両手で把持し、その横バー３を下方に押し下げるようにして力を込める。このようにすることで、腹部に力が入り易くなり、排便が容易になる。
【００２０】
（使用例２）
本願発明の排便補助具は、上下逆さにして使用することもできる。
（１）使用例１と同様の要領で、排便補助具１をトイレの床に設置する。このとき、横バー３が縦支持材２の長手方向の中央部よりも下方寄りに位置するように設置する。
（２）設置した排便補助具１の横バー３を両手で把持し、その横バー３を下方に押し下げるようにして力を込める。このようにすると腹部に力が入り易くなり、排便が容易になる。
【００２１】
（使用例３）
本願発明の排便補助具は、次のように使用することもできる。
（１）使用例１又は使用例２と同様の要領で、排便補助具１をトイレの床に設置する。この場合、横バー３が縦支持材２の長手方向の中央部よりも上方寄りに位置するように設置してもいいし、下方寄りに位置するように設置してもよい。
（２）設置した排便補助具１の上方の設置部に手を載せ、その設置部を下方に押し下げるようにして力を込める。このようにすると腹部に力が入り易くなり、排便が容易になる。
【符号の説明】
【００２２】
１      排便補助具
２      縦支持材
３      横バー
４      閉塞蓋
【図１】
2012157576.tif 000003
【図２】
2012157576.tif 000004
【図３】
2012157576.tif 000005
【図４】
2012157576.tif 000006